(57)【要約】【課題】パスワードの入力による操作摘みの操作によってキャビネットの全てのトレーをロック・アンロックでき、オールロック機構の構成部材を削減・軽量化して操作性の向上を図れるようにすること。【解決手段】上下複数段の合成樹脂製トレー２０を有するトレー群２と、トレー群を配列して収容するキャビネット本体１０と、操作摘み３１の回動操作によって全てのトレーをロックするオールロック機構３０と、を具備するキャビネットにおいて、操作摘みは、操作制御部３と接続されると共に、入力部に入力されたパスワードによって回動可能に形成され、各トレーの側壁に係止溝２５が設けられ、オールロック機構は、操作摘みの回動部に連係されて水平方向に移動自在な横移動部材４０と、横移動部材の傾斜ガイド溝内に摺動自在に挿入される伝達ピン及びトレーの係止溝に係脱可能に係合する係止突起を一体に形成した合成樹脂製の縦移動部材５０と、を具備する。【選択図】図２
2014224376.tif 000002
【特許請求の範囲】
【請求項１】
上下複数段に配設される複数個の合成樹脂製のトレーを有する複数のトレー群と、前記複数のトレー群を配列して収容するキャビネット本体と、このキャビネット本体に回動可能に装着される操作摘みの回動操作によって全ての前記トレーをロックするオールロック機構と、を具備する保管用キャビネットにおいて、
前記操作摘みは、前記キャビネット本体に取り付けられた操作制御部と接続されると共に、該操作制御部に設けられた入力部に入力された暗証番号によって回動可能に形成され、
前記トレー群の各トレーは、このトレーの側壁に上向きに開放する係止溝が設けられ、
前記オールロック機構は、前記操作摘みの回動部に連係されて水平方向に移動自在な横移動部材と、この横移動部材に設けられた複数の傾斜ガイド溝内にそれぞれ摺動自在に挿入される伝達ピン及び前記トレーの係止溝に係脱可能に係合する係止突起を一体に形成した合成樹脂製の縦移動部材と、を具備してなる、
ことを特徴とする保管用キャビネット。
【請求項２】
請求項１に記載の保管用キャビネットにおいて、
前記操作摘みは、前記操作制御部と電気的に接続され、前記入力部はテンキーにて形成されている、ことを特徴とする保管用キャビネット。
【請求項３】
請求項１に記載の保管用キャビネットにおいて、
前記操作摘みは、前記操作制御部に設けられた暗証番号入力用の複数のダイヤル又はプッシュボタンを有するダイヤル錠又はプッシュ錠と接続され、前記ダイヤル錠又はプッシュボタンに付された暗証番号の照合状態によって回動可能に形成されている、ことを特徴とする保管用キャビネット。
【請求項４】
請求項１ないし３のいずれかに記載の保管用キャビネットにおいて、
前記縦移動部材は、前記伝達ピンと係止突起を有する上部縦分割部材と、前記係止突起を有する下部縦分割部材とで構成され、前記上部縦分割部材の下端に設けられた係止受け部に、前記下部縦分割部材の上端に設けられた係止部を係止して、前記上部縦分割部材と下部縦分割部材とを連接してなる、ことを特徴とする保管用キャビネット。
【請求項５】
請求項４に記載の保管用キャビネットにおいて、
前記縦移動部材は、更に前記下部縦分割部材の下端に設けられた係止受け部に、別の下部縦分割部材の上端に設けられた係止部を係止して、前記下部縦分割部材同士を連接してなる、ことを特徴とする保管用キャビネット。
【請求項６】
請求項１ないし３のいずれかに記載の保管用キャビネットにおいて、
前記横移動部材は合成樹脂製部材にて形成され、該横移動部材は前記キャビネット本体に取り付けられた合成樹脂製のガイド枠部材に摺接可能に挿通される、ことを特徴とする保管用キャビネット。
【請求項７】
請求項６に記載の保管用キャビネットにおいて、
前記横移動部材は、それぞれ前記傾斜ガイド溝を有する複数の横分割部材を連接してなり、
連接される一方の前記横分割部材は、側方に開口する凹状溝と、該凹状溝の底面から側方に起立する係止突軸と、前記凹状溝の両側壁の対向面に突出する係止突部とを有し、連接される他方の前記横分割部材は、前記凹状溝内に挿入可能な係止突片を有し、該係止突片に、前記係止突軸が嵌合可能な嵌合孔と前記係止突起と係合可能な係止段部とを設ける、ことを特徴とする保管用キャビネット。
【請求項８】
請求項１ないし３，６又は７のいずれかに記載の保管用キャビネットにおいて、
前記操作摘みの回動部は、回転中心から偏心したクランクピンを有し、前記横移動部材は、前記クランクピンを摺動自在に挿入する長孔を有する、ことを特徴とする保管用キャビネット。
【請求項９】
請求項８に記載の保管用キャビネットにおいて、
前記横移動部材は、前記長孔を設けた部分が、前記クランクピンの移動を許容する横断面が略ハット状に屈曲されている、ことを特徴とする保管用キャビネット。
【請求項１０】
請求項１ないし３，６又は７のいずれかに記載の保管用キャビネットにおいて、
前記操作摘みの回動部は、回転運動を水平方向に変換するスライド板と、該スライド板に突設されるピンとを有し、前記横移動部材は、前記ピンを挿入する挿入孔を有する、ことを特徴とする保管用キャビネット。
【発明の詳細な説明】
【技術分野】
【０００１】
この発明は、保管用キャビネットに関するもので、更に詳細には、上下複数段に配設される複数の合成樹脂製のトレーを有する複数のトレー群を配列し、全てのトレーを同時にロックするロック機構を暗証番号やパスワードの入力によって作動させる保管用キャビネットに関するものである。
【背景技術】
【０００２】
一般に、キャビネット本体に上下複数段に配設される透明合成樹脂製の複数のトレーを収容するシンプルなクリアトレーキャビネットが使用されている。出願人は、シンプル性を損なうことなく一つのキー操作によって複数のトレー群を配列したキャビネットの全てのトレーをロック・アンロックするオールロック機構を組み込むキャビネットを開発した(例えば、特許文献１参照)。
【０００３】
この種のキャビネットは、操作の利便性から薬剤の保管庫としての要望があり、特に老人保護施設や医療施設等の福祉施設において利用されており、収容される薬の種類や量等に応じて異なる段数の複数種類のキャビネットが使用されている。
【０００４】
一般に、老人保護施設や医療施設等においては、複数の介護者が交代で介護している。そのため、各介護者はキャビネットの鍵を所持する必要があり、キー操作によってキャビネットの全てのトレーのロックを解除して、被介護者の所定のトレーに収容された薬剤を、所定時間、例えば毎食後や睡眠前に被介護者毎に処方された薬剤を渡している。
【０００５】
一方、薬品を保管するキャビネットにおいては、薬品の保管の安全性の観点からテンキーからのパスワードや利用者ＩＤの入力により電子錠を解錠して、薬品を取り出せるようにしたものが知られている(例えば、特許文献２参照)。
【０００６】
また、トレーに収容される収容物の保管の安全を図るために、ＩＣカードやパスワードの入力により電子錠を施錠・解錠する電子錠式キャビネットも知られている（例えば、特許文献３参照）。
【先行技術文献】
【特許文献】
【０００７】
【特許文献１】特開２０１０−２７４０２９号公報（特許請求の範囲、図６）
【特許文献２】特開２００３−１３５５６５号公報（特許請求の範囲、図１）
【特許文献３】特開２００９−１３３０６３号公報（特許請求の範囲、図１）
【発明の概要】
【発明が解決しようとする課題】
【０００８】
しかしながら、特許文献１に記載のキャビネットにおいては、複数の使用者例えば介護者毎に鍵を所持する必要があり、鍵の紛失によってトレー内の収容物が取り出せなくなる懸念がある。また、複数段のトレー群を複数配列したキャビネットの全てのトレーを同時にロック・アンロックするため、オールロック機構の作動部の構成部材を削減・軽量化して操作性の向上が望まれている。更には、収容される薬の種類や量等に応じて異なる段数の複数種類のキャビネットに対応したオールロック機構の改善が望まれている。
【０００９】
特許文献２，３に記載のキャビネットにおいては、テンキーからのパスワードや利用者ＩＤの入力により電子錠を解錠して、トレー内に収容された薬品や収容物を取り出せるようにしたものである。しかし、これにおいても使用者毎に電子錠の鍵やＩＣカードが必要であり、鍵の紛失やＩＣカードの紛失によってキャビネット内の収容物が取り出せなくなる懸念がある。また、特許文献２，３に記載のものにおいては、いずれも複数段のトレー群を複数配列したキャビネットの全てのトレーを同時にロック・アンロックするオールロック機構については言及されていない。
【００１０】
この発明は、前記事情に鑑みてなされたもので、使用者が鍵やＩＣカード等を使用せずにパスワードの入力による操作摘みの操作によって複数のトレー群を配列したキャビネットの全てのトレーをロック・アンロックすることができると共に、オールロック機構の構成部材を削減・軽量化して操作性の向上を図れるようにした保管用キャビネットを提供することを課題とする。
【課題を解決するための手段】
【００１１】
前記課題を解決するため、請求項１記載の発明は、上下複数段に配設される複数個の合成樹脂製のトレーを有する複数のトレー群と、前記複数のトレー群を配列して収容するキャビネット本体と、このキャビネット本体に回動可能に装着される操作摘みの回動操作によって全ての前記トレーをロックするオールロック機構と、を具備する保管用キャビネットにおいて、  前記操作摘みは、前記キャビネット本体に取り付けられた操作制御部と接続されると共に、該操作制御部に設けられた入力部に入力された暗証番号によって回動可能に形成され、  前記トレー群の各トレーは、このトレーの側壁に上向きに開放する係止溝が設けられ、  前記オールロック機構は、前記操作摘みの回動部に連係されて水平方向に移動自在な横移動部材と、この横移動部材に設けられた複数の傾斜ガイド溝内にそれぞれ摺動自在に挿入される伝達ピン及び前記トレーの係止溝に係脱可能に係合する係止突起を一体に形成した合成樹脂製の縦移動部材と、を具備してなる、ことを特徴とする。この場合、前記操作摘みは、前記操作制御部と電気的に接続され、前記入力部はテンキーにて形成することができる（請求項２）。また、前記操作摘みは、前記操作制御部に設けられた暗証番号入力用の複数のダイヤル又はプッシュボタンを有するダイヤル錠又はプッシュ錠と接続され、前記ダイヤル錠又はプッシュボタンに付された暗証番号の照合状態によって回動可能に形成してもよい（請求項３）。
【００１２】
このように構成することにより、入力部に入力された暗証番号（パスワード）によって操作摘みを回動操作することによって、横移動部材を水平方向に移動し、横移動部材に設けられた傾斜ガイド溝と縦移動部材に一体に突設された伝達ピンとの係合によって複数の縦移動部材を鉛直方向(上下方向)に移動し、各縦移動部材に一体に突設された係止突起を各トレーの側壁に設けられた係止溝に係脱可能に係合することができる。また、縦移動部材は、伝達ピン及びトレーの係止溝に係脱可能に係合する係止突起を一体に形成した合成樹脂製部材にて形成されているので、構成部材の削減が図れると共に、縦移動部材の軽量化が図れる。
【００１３】
この発明において、前記縦移動部材は、前記伝達ピンと係止突起を有する上部縦分割部材と、前記係止突起を有する下部縦分割部材とで構成され、前記上部縦分割部材の下端に設けられた係止受け部に、前記下部縦分割部材の上端に設けられた係止部を係止して、前記上部縦分割部材と下部縦分割部材とを連接するのが好ましい（請求項４）。また、前記縦移動部材は、更に前記下部縦分割部材の下端に設けられた係止受け部に、別の下部縦分割部材の上端に設けられた係止部を係止して、前記下部縦分割部材同士を連接してもよい（請求項５）。
【００１４】
このように構成することにより、縦移動部材を伝達ピンと係止突起を有する上部縦分割部材と、係止突起を有する１又は複数の下部縦分割部材とで構成することができ、トレー群のトレーの段数に応じた係止突起を有する縦移動部材をオールロック機構に用いることができる。
【００１５】
請求項６に記載の発明は、請求項１〜３に記載の保管用キャビネットにおいて、前記横移動部材は合成樹脂製部材にて形成され、該横移動部材は前記キャビネット本体に取り付けられた合成樹脂製のガイド枠部材に摺接可能に挿通される、ことを特徴とする。
【００１６】
このように構成することにより、横移動部材を軽量にすることができると共に、水平方向の移動を円滑にすることができる。
【００１７】
請求項７に記載の発明は、請求項６に記載の保管用キャビネットにおいて、前記横移動部材は、それぞれ前記傾斜ガイド溝を有する複数の横分割部材を連接してなり、連接される一方の前記横分割部材は、側方に開口する凹状溝と、該凹状溝の底面から側方に起立する係止突軸と、前記凹状溝の両側壁の対向面に突出する係止突部とを有し、連接される他方の前記横分割部材は、前記凹状溝内に挿入可能な係止突片を有し、該係止突片に、前記係止突軸が嵌合可能な嵌合孔と前記係止突起と係合可能な係止段部とを設ける、ことを特徴とする。
【００１８】
このように構成することにより、複数の横分割部材を連接して横移動部材を構成することができ、配列されたトレー群の数に応じたキャビネットに対応させて横移動部材を組み込むことができる。
【００１９】
請求項８に記載の発明は、請求項１〜３，６又は７のいずれかに記載の保管用キャビネットにおいて、前記操作摘みの回動部は、回転中心から偏心したクランクピンを有し、前記横移動部材は、前記クランクピンを摺動自在に挿入する長孔を有する、ことを特徴とする。この場合、前記横移動部材は、前記長孔を設けた部分が、前記クランクピンの移動を許容する横断面が略ハット状に屈曲されているのが好ましい（請求項９）。
【００２０】
このように構成することにより、操作摘みを回動操作すると、クランクピンが回転中心の同心円上を移動しつつ横移動部材に設けられた長孔内を摺動することで、横移動部材を水平方向に移動することができる。この場合、横移動部材における長孔を設けた部分が、クランクピンの移動を許容する横断面が略ハット状に屈曲されることで、操作摘みの回動部とクランクピンを屈曲部内に収容することができるので、操作摘みと横移動部材との隙間を小さくすることができる。
【００２１】
請求項１０に記載の発明は、請求項１〜３，６又は７のいずれかに記載の保管用キャビネットにおいて、前記操作摘みの回動部は、回転運動を水平方向に変換するスライド板と、該スライド板に突設されるピンとを有し、前記横移動部材は、前記ピンを挿入する挿入孔を有する、ことを特徴とする。
【００２２】
このように構成することにより、操作摘みを回動操作すると、回動部の回転運動が水平方向に変換されてスライド板が水平移動することで、スライド板に突設されたピンが挿入された挿入孔を有する横移動部材を水平方向に移動することができる。
【発明の効果】
【００２３】
この発明によれば、前記のように構成されているので、以下のような優れた効果が得られる。
【００２４】
使用者は鍵やＩＣカード等を必要とせずに、暗証番号（パスワード）の入力により一つの操作摘みの操作によって複数のトレー群を配列したキャビネットの全てのトレーをロック・アンロックすることができると共に、オールロック機構の作動部の構成部材を削減・軽量化して操作性の向上を図ることができる。
【００２５】
また、縦移動部材を伝達ピンと係止突起を突設した上部縦分割部材と係止突起を突設した１又は複数の下部縦分割部材とを連接する構成とすることで、トレーの異なる段数に応じた長さのトレー群の縦移動部材を用意することなく、複数の上部縦分割部材と下部縦分割部材とを組み合わせて異なる段数に応じた縦移動部材を用いて、トレーの異なる段数のキャビネットの組立を容易にすることができる。
【００２６】
更に、横移動部材を合成樹脂製部材にて形成すると共に、横移動部材をキャビネット本体に取り付けられた合成樹脂製のガイド枠部材に摺接可能に挿通することにより、横移動部材を軽量にすることができると共に、水平方向の移動を円滑にすることができる。この場合、横移動部材を、それぞれ傾斜ガイド溝を有する複数の横分割部材を連接して構成することにより、配列されたトレー群の数に応じたキャビネットに対応させて横移動部材を組み込むことができる。
【図面の簡単な説明】
【００２７】
【図１】この発明に係る保管用キャビネットの一例を示す斜視図である。
【図１Ａ】この発明におけるテンキーと操作摘みを示す概略構成図である。
【図１Ｂ】この発明におけるテンキーを有する操作制御部の内部構成を示すブロック図である。
【図２】この発明に係る保管用キャビネットのロック状態を示す正面図（ａ）、その概略横断面図（ｂ）及びロック状態を示す要部断面図（ｃ）である。
【図３】この発明に係る保管用キャビネットのアンロック状態を示す正面図（ａ）及びその概略横断面図（ｂ）である。
【図４】この発明におけるオールロック機構のロック状態を示す概略平面図（ａ）及びその概略正面図（ｂ）である。
【図５】この発明におけるオールロック機構のアンロック状態を示す概略平面図（ａ）及びその概略正面図（ｂ）である。
【図６】この発明における縦移動部材、横移動部材及びガイド枠部材を示す分解斜視図である。
【図７】この発明におけるトレーの係止溝と縦移動部材の係止突起の係合状態を示す断面図（ａ）及び（ａ）のＩ−Ｉ線に沿う断面図（ｂ）である。
【図８】この発明における縦移動部材の一例を示す正面図（ａ）及び（ａ）のII−II線に沿う拡大断面図（ｂ）である。
【図９】この発明における上部縦分割部材の正面図（ａ），背面図（ｂ）、平面図（ｃ）、左側面図（ｄ）、右側面図（ｅ）、（ｂ）のIII部拡大図（ｆ）及び（ｆ）のIV−IV線に沿う断面図（ｇ）である。
【図１０】この発明における第１の下部縦分割部材の正面図（ａ），背面図（ｂ）、左側面図（ｃ）及び（ｃ）のＶ部拡大図（ｄ）である。
【図１１】この発明における第２の下部縦分割部材の正面図（ａ），背面図（ｂ）及び左側面図（ｃ）である。
【図１２】この発明における縦移動部材の変形例を示す正面図である。
【図１３】この発明における縦移動部材の別の変形例を示す正面図（ａ）及び（ａ）のVI−VI線に沿う拡大断面図（ｂ）である。
【図１４】この発明における横移動部材を構成する横分割部材の一方の連接部を示す斜視図（ａ）及び他方の連接部を示す斜視図（ｂ）である。
【図１５】この発明における操作摘みの別の形態によるロック状態を示す概略平面図（ａ）及びその概略正面図（ｂ）である。
【図１６】この発明における操作摘みの別の形態によるアンロック状態を示す概略平面図（ａ）及びその概略正面図（ｂ）である。
【図１７】この発明に係る保管用キャビネットの別の実施形態を示す正面図である。
【図１８】図１７の概略横断面図である。
【図１９】この発明における操作摘みとダイヤル錠を示す斜視図である。
【図１９Ａ】この発明における操作摘みとプッシュ錠を示す斜視図である。
【図２０】この発明における横移動部材の別の実施形態を示す分解正面斜視図である。
【図２１】この発明における横移動部材の別の実施形態を示す分解背面斜視図である。
【図２２】前記横移動部材を構成する横分割部材を連結するスライドキャップを示す背面図（ａ）及び（ａ）のVII−VII線に沿う断面図（ｂ）である。
【発明を実施するための形態】
【００２８】
以下に、この発明に係る保管用キャビネット（以下にキャビネットという）の実施形態を添付図面に基づいて詳細に説明する。ここでは、キャビネットを薬剤保管用キャビネットに適用した場合について説明する。
【００２９】
この発明に係るキャビネット１は、図１ないし図３に示すように、上下複数段（図面では５段の場合を示す）に配設される複数個（図面では１５個の場合を示す）の合成樹脂製のトレー２０を有する複数例えば３個のトレー群２と、これら複数のトレー群２を横方向に配列して収容するキャビネット本体１０と、キャビネット本体１０の正面上部に回動可能に装着される操作摘み３１の回動操作すなわち施錠・解錠操作（ロック・アンロック操作）によって全てのトレー２０をロックするオールロック機構３０と、キャビネット本体１０の正面上部に取り付けられるテンキーである入力部４を有する操作制御部３と、を具備している。操作制御部３は、配線９を介して操作摘み３１と電気的に接続されており、入力部に入力されたパスワードによって操作摘み３１が回動可能に形成されている。
【００３０】
この場合、操作制御部３は、図１Ａ及び図１Ｂに示すように、テンキーである入力部４と、入力部４から入力されたパスワードを記憶部５に記憶（登録）された情報と比較演算処理するＣＰＵを有する制御部６と、外部電源又は充電池に接続するＵＳＢプラグが接続可能なＵＳＢコネクタ８を有する充電可能な電池７と、を具備している。このように構成される操作制御部３において、入力部４からパスワードを入力すると、記憶部５に予め登録された情報と一致した場合に制御部６から制御信号が操作摘み３１に伝達され、操作摘み３１に内蔵されたソレノイド（図示せず）が作動して操作摘み３１が回動可能になる。
【００３１】
各トレー２０は、図１，図２，図３及び図７に示すように、前壁２２の上端に前方に向かって円弧状に傾斜する取手２４が設けられている。この場合、取手２４には見出し部２１が設けられている。なお、取手２４は必ずしも円弧状に傾斜する形状でなくてもよく、円弧状以外の形状でもよい。また、見出し部２１を取手２４の一部に設けるようにしてもよい。このように構成されるトレー２０内には、例えば薬剤を収容した小分け用の仕切箱２０ａが取り出し可能に収容されている。
【００３２】
また、トレー２０の手前側の一方の側壁２３には、後述するオールロック機構３０の係止突起５２と係脱可能に係合する上向きに開放する係止溝２５が設けられている。この場合、係止溝２５は上向きコ字状に形成されている。なお、係止溝２５を上向きコ字状以外の形状例えばＶ字状，Ｕ字状に形成してもよい。
【００３３】
前記オールロック機構３０は、図２，図３〜図７に示すように、操作摘み３１と、この操作摘み３１における回動部３３の回転中心から偏心したクランクピン３４を介して連係され、水平方向に移動自在な合成樹脂製の横移動部材４０と、この横移動部材４０に設けられた複数（図面では３個の場合を示す）の傾斜ガイド溝４１内にそれぞれ摺動自在に挿入される伝達ピン５１を突設すると共に、トレー２０の係止溝２５に係脱可能に係合する係止突起５２を突設する複数の合成樹脂製の縦移動部材５０と、を具備している。
【００３４】
この実施形態では、縦移動部材５０は、図８に示すように、伝達ピン５１と２個の係止突起５２を有する上部縦分割部材６０と、３個の係止突起５２を有する第１の下部縦分割部材６１とを連接してなる。
【００３５】
この場合、上部縦分割部材６０は、図６，図８及び図９に示すように、断面略コ字状の上部基部６３の上端部の正面の半分に設けられた段部６３ａの側面に伝達ピン５１を突設し、上部基部６３の正面の上部側と下部側の２箇所に扁平矩形状の係止突起５２が互いに平行に突設されている。この係止突起５２は、各段のトレー２０の高さに合わせたピッチ間隔をおいて設けられている。なお、段部６３ａの伝達ピン５１の背部側には三角形状の補強用リブ６３ｂが設けられている。
【００３６】
また、上部基部６３の正面中央部には上部縦分割部材６０の長手方向に沿う縦長孔５４が穿設されている。なお、上部基部６３の背面側には上部縦分割部材６０の長手方向に沿う直状部とこの直状部と基部側壁とを連結する傾斜部とからなる補強リブ６４が設けられている。
【００３７】
また、上部縦分割部材６０の下端には、第１の下部縦分割部材６１に設けられた後述する係止部７１が係合可能な係止受け部６５が設けられている。この場合、係止受け部６５は、上部基部６３の正面より後方側（裏面側）に位置する一対の垂下片６６，６６と両垂下片６６，６６の下端部に連結して垂下片６６の外方に延在する水平片６７とからなる開口部６８と、上部基部６３の正面下端から開口部６８側に向かって突出する突起６９とで構成されている。
【００３８】
一方、第１の下部縦分割部材６１は、図８及び図１０に示すように、断面略コ字状の下部基部７０の上端に係止部７１を突設し、下部基部７０の正面の上部側、中間部及び下部側の３箇所に扁平矩形状の係止突起５２が互いに平行に突設されている。この係止突起５２は、各段のトレー２０の高さに合わせたピッチ間隔をおいて設けられている。
【００３９】
この場合、係止部７１は、下部基部７０の正面上端から裏面側に向かって屈曲され上端が先端側から基端側に向かって上り勾配の傾斜面を有する係止爪７２と、係止爪７２の下方の下部基部７０の上端部に水平状に設けられ、上部縦分割部材６０の係止受け部６５の水平片６７の下面に当接する水平当接片７３とで構成されている。
【００４０】
また、第１の下部縦分割部材６１の下端には、前記上部縦分割部材６０と同様の係止受け部６５が設けられている。また、下部基部７０の正面中央より下部側には第１の下部縦分割部材６１の長手方向に沿う縦長孔５４が穿設されている。なお、下部基部７０の背面側には、上部縦分割部材６０と同様に第１の下部縦分割部材６１の長手方向に沿う直状部とこの直状部と基部側壁とを連結する傾斜部とからなる補強リブ６４が設けられている。
【００４１】
前記のように構成される上部縦分割部材６０と第１の下部縦分割部材６１とを連接するには、図８（ｂ）に示すように、第１の下部縦分割部材６１の水平当接片７３を上部縦分割部材６０の係止受け部６５の水平片６７の下面に当接すると共に、係止爪７２を上部縦分割部材６０の上部基部６３の正面下端から開口部６８側に向かって突出する突起６９に係合させることで、上部縦分割部材６０と第１の下部縦分割部材６１とを直線状に連接することができる。
【００４２】
前記のようにして形成された縦移動部材５０に一体に設けられた伝達ピン５１は横移動部材４０に設けられた傾斜ガイド溝４１内に摺動自在に挿入され、横移動部材４０の水平移動に追従して傾斜ガイド溝４１内を移動し、この移動に伴って縦移動部材５０を鉛直方向（上下方向）に移動する。この際、伝達ピン５１と横移動部材４０はいずれも合成樹脂製部材で形成されているため、伝達ピン５１と横移動部材４０の相対移動の際の摩擦による摩耗を抑制することができると共に、横移動部材４０と縦移動部材５０の移動を円滑にすることができる。
【００４３】
また、縦移動部材５０は、図７に示すように、キャビネット本体１０に収容されるトレー群２の側部に配置された側枠部材１１に設けられた凹溝１２内に上下移動自在に収容されている。また、縦移動部材５０の表面の長手方向の中央部に設けられた縦長孔５４内には、側枠部材１１に突設されたガイドピン５５が摺動自在に嵌挿されている。この場合、ガイドピン５５は、凹溝１２の底部に穿設された貫通孔１３を貫通し、底部裏面に溶接によって固定されたナット１４に螺合される金属ねじによって形成されている。なお、この場合、ガイドピン５５に、縦長孔５４内に摺接可能な合成樹脂製のカラー５６を嵌装することにより、合成樹脂製の縦移動部材５０と金属製のガイドピン５５が擦れる際の摩擦によって縦移動部材５０が摩耗するのを防止することができると共に、縦移動部材５０の移動を円滑にすることができる。
【００４４】
前記のようにして、縦移動部材５０の鉛直方向（上下方向）の移動に伴って係止突起５２が上下移動することにより、各段のトレー２０の高さに合わせたピッチ間隔をおいて設けられた係止突起５２がトレー２０の側壁２３に設けられた係止溝２５に係合してトレー２０を施錠状態（ロック状態）にし（図７参照）、また、係止溝２５との係合が解かれてトレー２０を解錠状態（アンロック状態）にする。
【００４５】
前記実施形態では、縦移動部材５０が、２個の係止突起５２を有する上部縦分割部材６０と、３個の係止突起５２を有する第１の下部縦分割部材６１とを連接して５段のトレー２０を収容するキャビネット１について説明したが、５段以外のトレー２０を収容するキャビネット１にも適用できる。
【００４６】
例えば、図１１に示すように、各段のトレー２０の高さに合わせたピッチ間隔をおいて設けられた４個の係止突起５２を有する第２の下部縦分割部材６２を上部縦分割部材６０に連接して６段のトレー２０を収容するキャビネット１に適用することができる（図１２（ａ）参照）。また、上部縦分割部材６０の下部に２つの第１の下部縦分割部材６１を連接して８段のトレー２０を収容するキャビネットにも適用でき（図１２（ｂ）参照）、又は、上部縦分割部材６０の下部に２つの第２の下部縦分割部材６２を連接して１０段のトレー２０を収容するキャビネットにも適用できる（図１２（ｃ）参照）。更には、上部縦分割部材６０の下部に第１の下部縦分割部材６１と第２の下部縦分割部材６２の任意を連接して８段，１０段以外の段数のトレー２０を収容するキャビネットにも適用できる。
【００４７】
一方、横移動部材４０は、合成樹脂製の板状部材にて形成されている。この横移動部材４０には、操作摘み３１の回動部３３のクランクピン３４を摺動自在に挿入する垂直状の長孔４０ａと、正面視において左側が下方に位置する前記傾斜ガイド溝４１が設けられている。
【００４８】
この場合、横移動部材４０は、長孔４０ａを設けた部分が、クランクピン３４の移動を許容する横断面が略ハット状の屈曲部４５が形成されている。このように横移動部材４０に屈曲部４５を形成することにより、操作摘み３１の回動部３３とクランクピン３４を屈曲部４５内に収容することができるので、操作摘み３１と横移動部材４０との隙間を小さくすることができる。なお、横移動部材４０の屈曲部４５に強度をもたせるには、図４及び図５に二点鎖線で示すように屈曲部４５の角部に三角形状の補強用リブ４３を設ければよい。
【００４９】
なお、操作摘み３１の回動部３３にクランクピン３４を設ける代わりに、図１５及び図１６に示すように、回動部３３の回転運動を水平方向に変換するスライド板３５と、該スライド板３５に突設されるピン３６とを有する操作摘み３１Ａを用いてもよい。この場合、横移動部材４０は、ピン３６を挿入する挿入孔４０ｂを有する直状板部材に形成される。
【００５０】
この実施形態では、横移動部材４０は、図１３に示すように、それぞれ傾斜ガイド溝４１を有する複数例えば３個の横分割部材８０Ｌ，８０Ｃ，８０Ｒを連接して構成されている。すなわち、テンキー（入力部４）を有する操作制御部３が取り付けられる中央のトレー群２が位置する中央横分割部材８０Ｃの左側に左側のトレー群２が位置する左横分割部材８０Ｌを連接し、中央横分割部材８０Ｃの右側に右側のトレー群２が位置する右横分割部材８０Ｒを連接してなる。
【００５１】
次に、横分割部材８０Ｌ，８０Ｃ，８０Ｒの連接構造について、図１３及び図１４を参照して、中央横分割部材８０Ｃと右横分割部材８０Ｒを代表して説明する。
【００５２】
連接される一方の中央横分割部材８０Ｃは、側方に開口する凹状溝８１と、該凹状溝８１の底面から側方に起立する係止突軸８２と、凹状溝８１の両側壁８１ａの対向面に突出する係止突部８３とを有している。なお、凹状溝８１の底部における係止突起８３と対向する部位には、開口窓８１ｂが設けられている。このように開口窓８１ｂを設けることにより、凹状溝８１部に弾性をもたせることができ、両係止突部８３間が対向方向に変位可能となる。
【００５３】
一方、連接される他方の右横分割部材８０Ｒは、凹状溝８１内に挿入可能な扁平矩形状の係止突片８４を有し、該係止突片８４に、係止突軸８２が嵌合可能な嵌合孔８５と係止突部８３と係合可能な係止段部８６とが設けられる。
【００５４】
前記のように形成される中央横分割部材８０Ｃの凹状溝８１内に右横分割部材８０Ｒの係止突片８４を挿入して、係止突軸８２と嵌合孔８５とを嵌合すると共に、係止突部８３と係止段部８６とを係合して中央横分割部材８０Ｃと右横分割部材８０Ｒとを連接する。
【００５５】
中央横分割部材８０Ｃと左横分割部材８０Ｌの連接も同様に行うことができる。すなわち、左横分割部材８０Ｌの凹状溝８１内に中央横分割部材８０Ｃの係止突片８４を挿入して、係止突軸８２と嵌合孔８５とを嵌合すると共に、係止突部８３と係止段部８６とを係合して中央横分割部材８０Ｃと左横分割部材８０Ｌとを連接する。
【００５６】
このように横移動部材４０を横分割部材８０Ｌ，８０Ｃ，８０Ｒを連接して構成することにより、配列されたトレー群２の数に応じたキャビネット１に対応させて横移動部材を組み込むことができる。なお、トレー群２の配列を増やして４列以上にする場合は、左横分割部材８０Ｌ又は右横分割部材８０Ｒに増設する横分割部材を同様に連接すればよい。
【００５７】
前記横分割部材８０Ｌ，８０Ｃ，８０Ｒを連接してなる横移動部材４０は、キャビネット本体１０の上辺部に取り付けられた合成樹脂製のガイド枠部材４２に設けられた扁平矩形状のガイド孔４２ａに摺接可能に嵌挿されている。
【００５８】
このように、合成樹脂製の横移動部材４０と合成樹脂製のガイド枠部材４２とを摺接可能に形成することにより、施錠・解錠時（ロック・アンロック時）の横移動部材４０の移動を円滑にすることができる。
【００５９】
次に、この発明に係るキャビネット１のトレー２０に収容された薬剤の取り出しの手順について説明する。
【００６０】
図２に示すトレー２０がロック状態にあるとき、まず、使用者例えば介護者が入力部４にパスワードを入力すると、操作制御部３の記憶部５に予め登録（記憶）されたパスワードと一致した場合は操作摘み３１が回動可能となる。そこで、図３に示すように、操作摘み３１を回動操作して反時計方向に回転すると、操作摘み３１の回動部３３の回動に伴って横移動部材４０が左方向に移動する。横移動部材４０が左方向に移動することにより、伝達ピン５１が傾斜ガイド溝４１の右側の上部側に移動し、縦移動部材５０を上方に移動する。この縦移動部材５０の上方への移動に伴って係止突起５２も上方へ移動し、係止溝２５と係止突起５２の係合が解除され、オールロック状態の全てのトレー２０が解錠（アンロック）される。
【００６１】
トレー２０が解錠（アンロック）されたら、介護者は所定のトレー２０を引き出してトレー２０内に収容された所定の仕切箱２０ａを取り出して、取り出した仕切箱２０ａ内の薬剤を被介護者に渡すことができる。
【００６２】
トレー２０内の薬剤を取り出した後、新たな薬剤を補充した仕切箱２０ａをトレー２０内に収容してトレー２０を元の位置に納めた後、操作摘み３１を時計方向に回転すると、操作摘み３１の回動部３３の回動に伴って横移動部材４０が右方向に移動する。横移動部材４０が右方向に移動することにより、伝達ピン５１が傾斜ガイド溝４１の左側の下部側に移動し、縦移動部材５０を下方に移動する。この縦移動部材５０の下方への移動に伴って係止突起５２も下方へ移動し、係止溝２５に係止突起５２が係合し、アンロック状態の全てのトレー２０が施錠（ロック）される（図２，図７（ａ）参照）。
【００６３】
前記実施形態のキャビネット１によれば、例えば介護者は鍵やＩＣカードを用いることなく、入力部４に入力されたパスワードによって操作摘み３１を回動操作することによって複数のトレー群２を配列したキャビネット１の全てのトレー２０を施錠・解錠（ロック・アンロック）することができる。したがって、交代で介護を行う複数の介護者が各々鍵を所持することなく、キャビネット１内のトレー２０に収容された薬剤の管理を安全に行うことができる。
【００６４】
また、実施形態のキャビネット１によれば、縦移動部材５０を伝達ピン５１と係止突起５２を一体に突設した合成樹脂製部材にて形成することにより、構成部材の削減が図れると共に、軽量化が図れる。更に、横移動部材４０を合成樹脂製部材にて形成すると共に、合成樹脂製のガイド枠部材に摺接可能に挿通するので、構成部材の削減が図れると共に、軽量化が図れる。したがって、多数のトレー２０を有するキャビネット１においても、操作摘み３１の回動操作によって全てのトレー２０の施錠・解錠操作（ロック・アンロック操作）を容易に行うことができる。
【００６５】
また、縦移動部材５０を伝達ピン５１と係止突起５２を有する上部縦分割部材６０と、係止突起５２を有する１又は複数の下部縦分割部材６１，６２とで構成することで、トレー群２のトレー２０の段数に応じた係止突起５２を有する縦移動部材５０をオールロック機構に用いることができる。例えば、上部縦分割部材６０と第１の下部縦分割部材６１及び又は第２の下部縦分割部材６２とを連接するか、あるいは、上部縦分割部材６０と第１の下部縦分割部材６１同士又は第２の下部縦分割部材６２同士とを連接することで、例えば５段，６段，８段又は１０段等のトレー群２を配列したキャビネット１とすることができる。
【００６６】
更に、横移動部材４０を合成樹脂製部材にて形成すると共に、横移動部材４０をキャビネット本体１０に取り付けられた合成樹脂製のガイド枠部材４２に摺接可能に挿通することにより、横移動部材４０を軽量にすることができると共に、水平方向の移動を円滑にすることができる。この場合、横移動部材４０を、それぞれ傾斜ガイド溝４１を有する複数の横分割部材８０Ｃ，８０Ｌ，８０Ｒを連接して構成することにより、配列されたトレー群２の数に応じたキャビネット１に対応させて横移動部材４０を組み込むことができる。
【００６７】
なお、前記実施形態では、操作制御部３が操作摘み３１と電気的に接続するテンキー４（入力部）を有する場合について説明したが、別の操作制御部をキャビネット本体に組み込んでもよい。
【００６８】
例えば、図１７〜図１９に示すように、操作制御部３Ｂに設けられる入力部を、暗証番号入力用の複数のダイヤル４a1〜４a4を有する公知のダイヤル錠４Ｂにて構成し、ダイヤル錠４Ｂと操作摘み３１Ｂが一体となるように接続してもよい。
【００６９】
このように構成される操作制御部３Ｂによれば、ダイヤル４a1〜４a4に付された暗証番号の照合状態によって操作摘み３１Ｂを回動可能にすることができ、前記実施形態と同様に、操作摘み３１Ｂの回動操作によってオールロック機構３０を施錠・解錠（ロック・アンロック）することができる。なお、操作制御部３Ｂの操作摘み３１Ｂにはダイヤル４a1〜４a4の暗証番号を解除するキー（図示せず）の解除用鍵穴４ｂが設けられている。図１７〜図１９において、その他の部分は前記実施形態と同じであるので、同一部分には同一補号を付して説明は省略する。
【００７０】
また、前記ダイヤル錠４Ｂに代えて図１９Ａに示すようなプッシュ錠４Ｃを用いてもよい。すなわち、操作制御部３Ｃに設けられる入力部を、暗証番号入力用の複数のプッシュボタン４ｃを有する公知のプッシュ錠４Ｃにて構成し、プッシュ錠４Ｃと操作摘み３１Ｃが一体となるように接続してもよい。
【００７１】
このように構成される操作制御部３Ｃによれば、プッシュボタン４ｃに付された暗証番号の照合状態によって操作摘み３１Ｃを回動可能にすることができ、前記実施形態と同様に、操作摘み３１Ｃの回動操作によってオールロック機構３０を施錠・解錠（ロック・アンロック）することができる。なお、操作制御部３Ｃの操作摘み３１Ｂにはプッシュボタン４ｃの暗証番号を解除するキー（図示せず）の解除用鍵穴４ｂが設けられている。図１９Ａにおいて、その他の部分は前記実施形態と同じであるので、同一部分には同一補号を付して説明は省略する。
【００７２】
また、前記実施形態では、横移動部材４０及び横移動部材を構成する分割部材すなわち中央横分割部材８０Ｃ，左横分割部材８０Ｌ，右横分割部材８０Ｒが合成樹脂製部材にて形成される場合について説明したが、横移動部材を例えばスチールあるいはアルミニウム等の金属製の板状バーにて形成してもよい。この場合、図２０〜図２２に示すように、横移動部材４０Ａは、例えばスチールあるいはアルミニウム等の金属製の板状バーにて形成される複数の横分割部材８０を合成樹脂製のスライドキャップ４６によって直状に連接されている。この場合、スライドキャップ４６は、図２２に示すように、断面略コ字状の凹溝状基部４６ａの底部の左右２箇所に円柱状の係止突軸４６ｂを突設し、凹溝状基部４６ａの対向する両側壁の対向面に係止爪部４６ｃを突設してなる。また、凹溝状基部４６ａの底部における係止爪部４６ｃと対向する部位には、開口窓４６ｄが設けられている。このように開口窓４６ｄを設けることにより、凹溝状基部４６ａに弾性をもたせることができ、両係止爪部４６ｃ間が対向方向に変位可能となる。
【００７３】
一方、横分割部材８０の接合側端部には、係止突軸４６ｂが嵌合可能な嵌合孔８０ａが設けられている。
【００７４】
横分割部材８０同士を連接するには、スライドキャップ４６の凹溝状基部４６ａ内に係止爪部４６ｃを乗り越えて横分割部材８０の端部を挿入すると共に、嵌合孔８０ａを係止突軸４６ｂに嵌合して横分割部材８０同士を連接することができる。
【００７５】
なお、横分割部材８０には、錠前３１の回動部３３のクランクピン３４を摺動自在に嵌挿する垂直状の長孔４０ａと、傾斜ガイド溝４１が設けられている。これら長孔４０ａと傾斜ガイド溝４１の内周縁部には、夫々合成樹脂製の摺動案内枠部材４０ｃ，４１ａが装着されている。このように構成することにより、クランクピン３４と長孔４０ａの摺動を円滑にすると共に、伝達ピン５１ａと傾斜ガイド溝４１の摺動を円滑にすることができる。
【００７６】
また、横分割部材８０を連接するスライドキャップ４６は、キャビネット本体１０の上辺部に取り付けられた合成樹脂製のガイド枠部材４２に設けられた扁平矩形状のガイド孔４２ａの内面に摺接可能に形成されている。
【００７７】
このように、金属材料にて形成される横移動部材４０Ａ（横分割部材８０）に被着される合成樹脂製のスライドキャップ４３と合成樹脂製のガイド枠部材４２とを摺接可能に形成することにより、横移動部材４０Ａ（横分割部材８０）に剛性をもたせることができると共に、施錠・解錠時（ロック・アンロック時）の横移動部材４０の移動を円滑にすることができ、かつ、金属製横移動部材４０Ａ（横分割部材８０）の移動の際に発生する擦れによる金属音を防止することができる。
【００７８】
なお、前記実施形態では、この発明に係るキャビネットを薬剤の保管用に適用した場合について説明したが、この発明に係るキャビネットは、薬剤以外の収容物の保管用にも適用できる。
【符号の説明】
【００７９】
１  キャビネット
２  トレー群
３，３Ｂ，３Ｃ  操作制御部
４  入力部
４Ｂ  ダイヤル錠（入力部）
４Ｃ  プッシュ錠（入力部）
１０  キャビネット本体
２０  トレー
２３  側壁
２５  係止溝
３０  オールロック機構
３１，３１Ａ，３１Ｂ，３１Ｃ  操作摘み
３３  回動部
３５  スライド板
３６  ピン
４０  横移動部材
４０ａ  長孔
４０ｂ  挿入孔
４１  傾斜ガイド溝
４２  ガイド枠部材
４５  屈曲部
５０  縦移動部材
５１  伝達ピン
５２  係止突起
６０  上部縦分割部材
６１  第１の縦分割部材
６２  第２の縦分割部材
６５  係止受け部
７１  係止部
８０  横分割部材
８０Ｃ  中央横分割部材
８０Ｌ  左横分割部材
８０Ｒ  右横分割部材
８１  凹状溝
８２  係止突軸
８３  係止突部
８４  係止突片
８５  嵌合孔
８６  係止段部
【図１】
2014224376.tif 000003
【図１Ａ】
2014224376.tif 000004
【図１Ｂ】
2014224376.tif 000005
【図２】
2014224376.tif 000006
【図３】
2014224376.tif 000007
【図４】
2014224376.tif 000008
【図５】
2014224376.tif 000009
【図６】
2014224376.tif 000010
【図７】
2014224376.tif 000011
【図８】
2014224376.tif 000012
【図９】
2014224376.tif 000013
【図１０】
2014224376.tif 000014
【図１１】
2014224376.tif 000015
【図１２】
2014224376.tif 000016
【図１３】
2014224376.tif 000017
【図１４】
2014224376.tif 000018
【図１５】
2014224376.tif 000019
【図１６】
2014224376.tif 000020
【図１７】
2014224376.tif 000021
【図１８】
2014224376.tif 000022
【図１９】
2014224376.tif 000023
【図１９Ａ】
2014224376.tif 000024
【図２０】
2014224376.tif 000025
【図２１】
2014224376.tif 000026
【図２２】
2014224376.tif 000027